(57)【要約】  本発明の一態様は、一般的な動作時の運動機能性と、余りじわ、寄れ、ダブリ、及びひきつれじわが低減された好適なシルエットとが両立されており、幅広い用途に適用可能で、特にビジネススーツ及びフォーマル用途に好適であり、且つ既製服としての提供にも有用なパンツ及びその製造方法を提供する。本発明の一態様は、下記条件（ａ）〜（ｆ）：（ａ）前ベルト巾ＸＦ（単位：ｃｍ）を含む前股ぐり線の長さＹＦ（単位：ｃｍ）と、後ベルト巾ＸＢ（単位：ｃｍ）を含む後股ぐり線の長さＹＢ（単位：ｃｍ）との和が、５６ｃｍ〜６４ｃｍ；（ｂ）後股ぐり線の縫合線を挟み、後左身頃の生地の経地の目線と後右身頃の生地の経地の目線とがなす角度θが１６°以上３４°以下；（ｃ）０．５９≦（ＹＦ−ＸＦ）／（ＹＢ−ＸＢ）≦０．６８；（ｄ）０≦ＸＦ≦５、かつ０≦ＸＢ≦５；（ｅ）１７≦ＹＦ−ＸＦ≦２６；（ｆ）２９≦ＹＢ−ＸＢ≦３８；を満たすことを特徴とする、パンツを提供する。
2019194016.tif 000002
【特許請求の範囲】
【請求項１】
下記条件（ａ）〜（ｆ）：
（ａ）前ベルト巾ＸＦ（単位：ｃｍ）を含む前股ぐり線の長さＹＦ（単位：ｃｍ）と、後ベルト巾ＸＢ（単位：ｃｍ）を含む後股ぐり線の長さＹＢ（単位：ｃｍ）との和が、５６ｃｍ〜６４ｃｍ；
（ｂ）後股ぐり線の縫合線を挟み、後左身頃の生地の経地の目線と後右身頃の生地の経地の目線とがなす角度θが１６°以上３４°以下；
（ｃ）０．５９≦（ＹＦ−ＸＦ）／（ＹＢ−ＸＢ）≦０．６８；
（ｄ）０≦ＸＦ≦５、かつ０≦ＸＢ≦５；
（ｅ）１７≦ＹＦ−ＸＦ≦２６；
（ｆ）２９≦ＹＢ−ＸＢ≦３８；
を満たすことを特徴とする、パンツ。
【請求項２】
下記条件（ｇ）〜（ｊ）：
（ｇ）０．６０≦（ＹＦ−ＸＦ）／（ＹＢ−ＸＢ）≦０．６６；
（ｈ）３≦ＸＦ≦５、かつ３≦ＸＢ≦５；
（ｉ）１８≦ＹＦ−ＸＦ≦２３；
（ｊ）３０≦ＹＢ−ＸＢ≦３５；
を満たすことを特徴とする、請求項１に記載のパンツ。
【請求項３】
ウエスト部に伸縮性材料が配されている、請求項１又は２に記載のパンツ。
【請求項４】
前記ウエスト部の胴方向全周長の２０％以上８０％以下に前記伸縮性材料が配されており、かつ、フロント部には前記伸縮性材料が配されていない、請求項３に記載のパンツ。
【請求項５】
前身頃に、脇布が前身頃の一部を構成している脇ポケットが配されている、請求項１〜４のいずれか１項に記載のパンツ。
【請求項６】
成人女性用である、請求項１〜５のいずれか１項に記載のパンツ。
【請求項７】
請求項１〜６のいずれか一項に記載のパンツのパターンをマスターパンツパターンとしてグレーディングする工程を含む、パンツの製造方法。
【発明の詳細な説明】
【技術分野】
【０００１】
本発明は、パンツ及びその製造方法に関し、特に、標準体型の成人女性の既製服として有利なパンツ及びその製造方法に関する。
【背景技術】
【０００２】
昨今、性別年齢季節問わず、パンツスタイルのニーズが高まっている。パンツは、スポーツ用、作業用といった特殊な用途から、ジーンズ、チノパンツ等のカジュアル用途、更には、学生用、企業用の制服、ビジネススーツ、フォーマル用途等にまで広がりがあり、そのパターンの種類は多種多様である。【０００３】
パターン上の工夫でパンツの運動機能性を高める方法としては、臀部、腹部、脚周りのゆとり量を多くする方法が一般的である。例えば、股ぐり線を長くする、後股ぐり幅を長くする、大腿周径を長くとるなどがある（非特許文献１）。
しかし、こうしたゆとりは、パンツの静止時のシルエットの悪化（例えばだぶつきや余りしわの発生）につながる。つまり、動作時の良好な運動機能性のためのゆとりと、良好なシルエットとの両立には困難がある。【０００４】
脚を上げる動作が行い易く、且つスマートに見えるズボンに関するパターンとして、大腿部から膝にかけての前身頃、後身頃の幅と、脇、内股の縫合位置、前身頃の山折り線の位置、ふくらはぎ部の前身頃、後身頃の幅、ズボンの前後丈に着目したパンツの製作方法が提案されている（特許文献１）。また、ズボンの身頃の長さ方向に切り替えラインを含み、両足を肩幅に開いた状態で前傾且つ前屈の姿勢（基本姿勢）での、及び当該基本姿勢から動作を行う際の運動性能に優れ、見栄えが良いズボンが提案されている（特許文献２）。
【先行技術文献】
【非特許文献】
【０００５】
【非特許文献１】文化ファッション体系  改訂版・服飾造形講座２  スカート・パンツ  Ｐ１３４（文化服装学院編  文化出版局）
【特許文献】
【０００６】
【特許文献１】特開２０１５−０３４３５３号公報
【特許文献２】特開２０１４−０２９０４１号公報
【発明の概要】
【発明が解決しようとする課題】
【０００７】
しかし、特許文献１に記載される方法では、大腿部の脚のシルエット、脚上げにおける運動機能性には一定の効果があるが、臀部周りの運動機能性は十分考慮されていない。また、しゃがむ、椅子に座る等、臀部が起点となる動作で窮屈に感じる等の課題がある。また、特許文献２に記載される方法では、身頃の切り替えラインが目立つため、ビジネススーツやフォーマル用途に応用するためには、シルエット、デザイン性の観点から課題がある。【０００８】
本発明は、上記の課題を解決し、歩く、しゃがむ、脚を上げる等の、一般的な動作時の運動機能性と、余りじわ、寄れ、ダブリ、及びひきつれじわが低減された好適なシルエットとが両立されており、幅広い用途に適用可能で、特にビジネススーツ及びフォーマル用途に好適であり、且つ既製服としての提供にも有用なパンツ及びその製造方法、特に、標準体型の成人女性用の既製服として好適なパンツ及びその製造方法を提供することを目的とする。
【課題を解決するための手段】
【０００９】
本発明者らは、上記課題を解決するために、（１）マルチン計測及び３Ｄボディスキャンによる下肢計測データの収集、（２）パンツパターン試作、（３）パンツ縫製、及び（４）縫製品の着用静立位及び動作時の両方での、シルエット及び運動機能性の評価、を繰り返し実施した。その結果、パンツの運動機能性とシルエットとを両立するためには、前股ぐり線長及び後股ぐり線長、これらの合計長及び比率、並びに、後身頃中心線（即ち、後股ぐり線の縫合線）を挟み、後左身頃と後右身頃との生地の経地の目線が互いになす角度、のバランスが重要であることを見出した。【００１０】
すなわち、本発明は、下記のとおりのものである。
［１］  下記条件（ａ）〜（ｆ）：
（ａ）前ベルト巾ＸＦ（単位：ｃｍ）を含む前股ぐり線の長さＹＦ（単位：ｃｍ）と、後ベルト巾ＸＢ（単位：ｃｍ）を含む後股ぐり線の長さＹＢ（単位：ｃｍ）との和が、５６ｃｍ〜６４ｃｍ；
（ｂ）後股ぐり線の縫合線を挟み、後左身頃の生地の経地の目線と後右身頃の生地の経地の目線とがなす角度θが１６°以上３４°以下；
（ｃ）０．５９≦（ＹＦ−ＸＦ）／（ＹＢ−ＸＢ）≦０．６８；
（ｄ）０≦ＸＦ≦５、かつ０≦ＸＢ≦５；
（ｅ）１７≦ＹＦ−ＸＦ≦２６；
（ｆ）２９≦ＹＢ−ＸＢ≦３８；
を満たすことを特徴とする、パンツ。
［２］  下記条件（ｇ）〜（ｊ）：
（ｇ）０．６０≦（ＹＦ−ＸＦ）／（ＹＢ−ＸＢ）≦０．６６；
（ｈ）３≦ＸＦ≦５、かつ３≦ＸＢ≦５；
（ｉ）１８≦ＹＦ−ＸＦ≦２３；
（ｊ）３０≦ＹＢ−ＸＢ≦３５；
を満たすことを特徴とする、上記態様１に記載のパンツ。
［３］  ウエスト部に伸縮性材料が配されている、上記態様１又は２に記載のパンツ。
［４］  前記ウエスト部の胴方向全周長の２０％以上８０％以下に前記伸縮性材料が配されており、かつ、フロント部には前記伸縮性材料が配されていない、上記態様３に記載のパンツ。
［５］  前身頃に、脇布が前身頃の一部を構成している脇ポケットが配されている、上記態様１〜４のいずれかに記載のパンツ。
［６］  成人女性用である、上記態様１〜５のいずれかに記載のパンツ。
［７］  上記態様１〜６のいずれかに記載のパンツのパターンをマスターパンツパターンとしてグレーディングする工程を含む、パンツの製造方法。
【発明の効果】
【００１１】
本発明によれば、歩く、しゃがむ、脚を上げる等の、一般的な動作時の運動機能性と、余りじわ、寄れ、ダブリ、及びひきつれじわが低減された好適なシルエットとが両立されており、幅広い用途に適用可能で、特にビジネススーツ及びフォーマル用途に好適であり、且つ既製服としての提供にも有用なパンツ及びその製造方法、特に、標準体型の成人女性用の既製服として好適なパンツ及びその製造方法が提供される。
【図面の簡単な説明】
【００１２】
【図１】図１は、本発明の一態様に係るパンツのベルト付きのパターン例を示す図であり、（Ａ）は前身頃、（Ｂ）は後身頃を示している。
【図２】図２は、図１に示すパターンによって作製されたパンツ（実施例４に係るパンツ）の例における角度θを示す図である。
【発明を実施するための形態】
【００１３】
以下、本発明を実施するための例示の形態（以下、「実施の形態」と略記する。）について詳細に説明する。尚、本発明は、以下の実施の形態に限定されるものではなく、その要旨の範囲内で種々変形して実施することができる。また、図面に付与された同一の符号は、同様の構成又は機能を有する要素を意味する。
【００１４】
図１は、本発明の一態様に係るパンツのベルト付きのパターンの例を示す図であり、図２は、図１に示すパターンによって作製されたパンツ（実施例４に係るパンツ）の例における角度θを示す図である。図１においては、ベルト部が示されるが、ベルト部の配置はこれに限定されず、ベルト部が存在しなくてもよい。図１及び２を参照し、前身頃パターン１及び後身頃パターン２のそれぞれにおいて、前ベルト巾ＸＦは、パンツの前中心線上の、ベルト部上端である身頃上端１２からベルト部下端２２までの距離であり、後ベルト巾ＸＢは、パンツの後中心線上の、ベルト部上端である身頃上端１４からベルト部下端２４までの距離である。本実施の形態のパンツにおいて、ベルト巾はパンツの胴方向全周を通じて同じでも異なってもよい。例えば、パンツの脇線上のベルト部上端（身頃上端１１）−ベルト部下端２１間及びベルト部上端（身頃上端１３）−ベルト部下端２３間、パンツの前中心線上のベルト部上端（身頃上端１２）−ベルト部下端２２間、及びパンツの後中心線上のベルト部上端（身頃上端１４）−ベルト部下端２４間、の距離は互いに同じでも異なってもよい。図１では、ベルト巾がパンツの胴方向全周を通じて同じである例を示している。
【００１５】
図１においては、（Ａ）の前右身頃のパターン及び（Ｂ）の後右身頃のパターンのみ示しているが、図１に例示するパンツは左右対称であることが意図され、したがって前左身頃及び後左身頃のパターンは図示していない。図１及び２を参照し、角度θは、後股ぐり線の縫合線ｃ（これはパンツの後中心線を画定する）を挟み、後左身頃の生地の経地の目線ｄと後右身頃の生地の経地の目線ｅとがなす角度である。なお図１（Ｂ）では、縫合線ｃと後右身頃の生地の経地の目線ｄとがなす角度θ／２を図示している。後股ぐり部の縫合部位は、図１（Ｂ）に示すように曲線を含むことがある。本開示の縫合線ｃとは、ベルト部が存在する場合のベルト部下端２４、又はベルト部が存在しない場合の身頃上端１４から、後股ぐり線上に延ばした接線を意味する。後股ぐり線は、身頃上端１４又はベルト部下端２４からヒップトップ部４４（これはパンツのヒップラインｂを画定する）まで直線である場合がある。このような場合の縫合線ｃは、身頃上端１４又はベルト部下端２４とヒップトップ部４４とを結ぶ直線となる。
【００１６】
なお、図１に例示するパンツのパターンにおいては、後右身頃にダーツを１箇所有するが、本発明のパンツを作製するためのパターンにおいては、この態様に限らず、ダーツを前身頃に有してもよく、また、ダーツの数は０箇所または２箇所以上でもよい。
【００１７】
図１及び２を参照し、本実施の形態において、パンツは、下記条件（ａ）〜（ｆ）：
（ａ）前ベルト巾ＸＦ（単位：ｃｍ）を含む前股ぐり線の長さＹＦ（すなわち、身頃上端１２から股ぐり線下端３２（これはパンツの股上線ａを画定する）までの長さ）（単位：ｃｍ）と、後ベルト巾ＸＢ（単位：ｃｍ）を含む後股ぐり線の長さＹＢ（すなわち、身頃上端１４から股ぐり線下端３４（これはパンツの股上線ａを画定する）までの長さ）（単位：ｃｍ）との和が、５６ｃｍ〜６４ｃｍ；
（ｂ）後股ぐり線の縫合線ｃを挟み、後左身頃の生地の経地の目線ｄと後右身頃の生地の経地の目線ｅとがなす角度θが１６°以上３４°以下；
（ｃ）０．５９≦（ＹＦ−ＸＦ）／（ＹＢ−ＸＢ）≦０．６８；
（ｄ）０≦ＸＦ≦５、かつ０≦ＸＢ≦５；
（ｅ）１７≦ＹＦ−ＸＦ≦２６；
（ｆ）２９≦ＹＢ−ＸＢ≦３８；
を満たす。
【００１８】
股ぐり線長さ、特に後身頃の股ぐり線長さは、パンツのデザインはもちろん、運動機能性を支配する。一方、過剰なゆとりはシルエットに悪い影響を及ぼす。本実施の形態においては、後左身頃及び後右身頃の股ぐり線を、生地の経地の目線に対して顕著に傾斜させることによって生地の物性の異方性（例えば、生地が経方向及び緯方向よりもバイアス方向において伸縮しやすい等の異方性）を最大限活用するとともに、前股ぐり線の長さと後股ぐり線の長さとの和、及びこれらの比率を特定範囲とする。これらの手段の組合せにより、股ぐり線長さの増加が必要最小限に留められ、運動機能性とシルエットとが良好に両立される。本実施の形態に係るパンツは、上記のような手段によって運動機能性とシルエットとを両立させるものであるため、一般的なグレーディングの手法により容易にサイズ展開でき、例えば既製服として有用である。また、成人女性用のパンツにおいては、ウエスト寸法とヒップ寸法との差が比較的大きいことから運動機能性とシルエットとの両立が比較的困難であるが、本実施の形態に係るパンツによれば、このような成人女性用のパンツにおいても運動機能性とシルエットとを簡便な手段にて良好に両立できる。したがって本実施の形態に係るパンツは成人女性用（例えば標準体型の成人女性用）の既製服として特に有用である。
【００１９】
更に、本発明に係るパンツに、裏地を用いてもよい。裏地の素材、配置方法は特に限定されないが、表地と同一のパターンであることが望ましい。裏地の素材の例としては、キュプラ、レーヨン等の再生セルロース繊維や、ジアセテート、トリアセテート等の半合成繊維、ポリエステル（例えばポリエチレンテレフタレート（ＰＥＴ）やポリトリメチレンテレフタレート（ＰＴＴ））、ナイロン（例えばナイロン６やナイロン６６）等の合成繊維が挙げられる。配置方法としては、総裏仕様、前当て使用、後ろ当て仕様のいずれでもよいが、総裏仕様は表地のチクチク感や表地縫代の摩擦を防ぐことができるうえ、裏地に吸湿性がある素材を用いた場合は、下肢全体の不感蒸泄を処理することができるためより好ましい。
【００２０】
パンツの身頃には、前身頃脇部に配置される脇ポケット、後身頃に配置される後ろポケット等、適宜ポケットを配置することができる。脇ポケットは、左身頃及び右身頃のうちいずれか片側のみに配置しても、両方に配置してもよいが、両方に配置すると伸度のバランスがよく好ましい。脇ポケットを配置する場合、該ポケットを構成する脇布及び袋布は中表に縫うことが好ましい。脇布と袋布とは連続した同一の布でも、別の布でも良い。脇ポケットの脇布が前身頃の一部によって構成されていると、ポケットに通常期待される小物の収納等の機能に加え、運動機能性も高まり、しゃがむ、正座するといった大きな動作でも圧迫感を軽減することができる。また、ポケット口は、ウエスト部の適当な位置と脇線とをつないだ直線とし、手を入れるのに必要な１４ｃｍ〜１６ｃｍの幅であることが好ましい。ポケットの脇布及び袋布の素材及び形は特に限定されないが、素材については、身生地と同じものを用いると伸度の均一性が高まり運動機能性が良好で、また縫製性も良好である、という利点がある。ポケットの脇布及び袋布の伸度を身生地と同程度にすると、伸度のバランスが高まるため好ましく、表面平滑性が高い素材を選定すると物の出し入れがし易くなり好ましく、吸湿性を持たせると温熱快適性が高まり好ましい。
【００２１】
前ベルト巾ＸＦを含む前股ぐり線の長さＹＦと、後ベルト巾ＸＢを含む後股ぐり線の長さＹＢとの和は、標準体型の着用者への好適なシルエットと運動機能性の両立の観点から、５６ｃｍ〜６４ｃｍであり、好ましくは５８ｃｍ〜６２ｃｍである。
【００２２】
後股ぐり線の縫合線ｃを挟み、後左身頃の生地の経地の目線ｄと後右身頃の生地の経地の目線ｅとがなす角度θは、生地の物性（例えば伸縮性）の異方性をパンツの運動機能性向上に有効に利用する観点から、１６°以上であり、好ましくは２０°以上、より好ましくは２４°以上であり、またパンツの良好な美観を得る観点から、３４°以下であり、好ましくは３２°以下、より好ましくは３０°以下である。生地の採り効率、すなわちロスの低減も考慮すると、２４°以上、３０°以下が最も好ましい。通常、パンツの製造において、生地の経地の目線の方向は、パンツ長さ方向（すなわち着用者の身長方向）と略平行とされるのが一般的である。角度θを上記範囲に調整する方法としては、生地の経地の目線の方向をパンツ長さ方向に対して略平行とするとともに、パンツ長さ方向に対する後ろ股ぐり線の傾斜程度を調整する方法を例示できる。
【００２３】
後股ぐり線の長さＹＢから後ベルト巾ＸＢを差し引いた長さ（ＹＢ−ＸＢ）に対する、前股ぐり線の長さＹＦから前ベルト巾ＸＦを差し引いた長さ（ＹＦ−ＸＦ）の比（（ＹＦ−ＸＦ）／（ＹＢ−ＸＢ））は、良好なシルエットと運動機能性を得る観点から、０．５９以上であり、好ましくは０．６０以上、より好ましくは０．６１以上であり、０．６８以下であり、好ましくは０．６７以下、より好ましくは０．６５以下である。
【００２４】
前股ぐり線の長さＹＦから前ベルト巾ＸＦを差し引いた長さ（ＹＦ−ＸＦ）は、標準体型の着用者に好適に適合させる観点から、１７ｃｍ〜２６ｃｍであり、好ましくは１７ｃｍ〜２３ｃｍである。
【００２５】
後股ぐり線の長さＹＢから後ベルト巾ＸＢを差し引いた長さ（ＹＢ−ＸＢ）は、標準体型の着用者に好適に適合させる観点から、２９ｃｍ〜３８ｃｍであり、好ましくは２９ｃｍ〜３５ｃｍである。
【００２６】
前ベルト巾ＸＦ及び後ベルト巾ＸＢは、０ｃｍ、すなわち身頃に含めたデザインでもよく、別途ベルト布を用意する場合は、パンツの良好な美観及び運動機能性を得る観点から５ｃｍ以下であり、好ましくは３ｃｍ〜５ｃｍであってよい。好ましい態様においては、ＸＦとＸＢとは等しい。またベルト芯地は、適宜用いて良い。ベルトの生地として、身生地と同じ生地を用いると、ベルト部と、身生地とをきれいに縫合できるので、仕上がりのシルエットが美しくなる。
【００２７】
本実施の形態において、運動機能性の観点より、ウエスト部の一部又は全部に、伸縮性材料を用いてもよい。この場合、前正中線を含むフロント部には、伸縮性材料ではなくベルトを配すると、正面から見た場合に目立つ部分がきれいに縫合でき、仕上がりのシルエットが美しくなる。すなわち、ウエスト部において伸縮性材料が胴方向全周長の２０％以上８０％以下、より好ましくは２５％以上７５％以下の割合で配される事が好ましく、かつ、フロント部には配されていないことが好ましい。伸縮性材料としては、ゴム等の弾性体が使用可能であり、ゴム等の弾性体を生地で包んだ複合体でも良く、ベルト状のゴムを用いても良い。また、伸縮性材料は連続している必要はなく、例えば両脇部に部分的に配されても良い。
なお、本実施の形態において、「伸縮性材料」とは、２０ｃｍ四方の試験片のストレッチ率（ＥＭＴ）が５％以上である材料を指す。ストレッチ率は、引張特性試験機（例えばカトーテック社製ＫＥＳ−ＦＢ１引張特性試験機）を用い、標準測定条件（測定速度０．２ｍｍ／ｓｅｃ、最大荷重５００ｇｆ／ｃｍ）の伸長試験で測定される値である。本実施の形態において、伸縮性材料を配置する場合には、ストレッチ率（ＥＭＴ）が５％以上である方向が胴周囲方向となるように当該伸縮性材料を配置する。
また、本実施の形態において「ウエスト部」とは、ベルト部の有無に関わらず、パンツ身頃上端から５ｃｍ巾の胴方向全周の部分を指す。
また、本実施の形態において「フロント部」とは、前記ウエスト部における、前正中線を中心とした、胴方向全周長の２０％（すなわち前正中線から左右に全周の各々１０％）の部分を指す。
【００２８】
好ましい態様において、パンツは、下記条件（ｇ）〜（ｊ）：
（ｇ）０．６０≦（ＹＦ−ＸＦ）／（ＹＢ−ＸＢ）≦０．６６；
（ｈ）３≦ＸＦ≦５、かつ３≦ＸＢ≦５；
（ｉ）１８≦ＹＦ−ＸＦ≦２３；
（ｊ）３０≦ＹＢ−ＸＢ≦３５；
を満たす。
【００２９】
表地を構成する繊維の素材は、限定されないが、天然繊維（例えば、羊糸、シルク、綿）、再生セルロース繊維（例えば、キュプラ、レーヨン、リヨセル等）、合繊繊維（例えば、ポリエチレンテレフタレート（ＰＥＴ）、ポリトリメチレンテレフタレート、ナイロン、アクリル、ポリウレタン等）、半合成繊維（例えば、アセテート等）の１種又は２種以上の組合せが例示され、長繊維、短繊維いずれでもよく、また原糸でも、加工糸でも、複合糸であってもよい。
【００３０】
表地を構成する繊維の繊度は、限定されないが、例えば、消費性能や厚み、目付のバランスから、ポリウレタン以外の長繊維ならば、好ましくは３３ｄｔｅｘ〜２００ｄｔｅｘ、より好ましくは５６ｄｔｅｘ〜１６７ｔｅｘ、綿番手ならば、２０番手〜８０番手、毛番手ならば、３８番手〜１２０番手が好ましく、ポリウレタン繊維であれば１７ｄｔｅｘ〜６６ｄｔｅｘが好ましい。
【００３１】
また、ポリウレタンは、フィラメントツイストヤーン、コアスパンヤーンの芯糸として用いてもよい。
【００３２】
パンツの表地の目付は、消費性能の観点から、１３０ｇ／ｍ２以上が好ましく、１５０ｇ／ｍ２以上がより好ましい。また、前記目付は、昨今の薄地軽量化のトレンド及び運動機能性の発揮という観点から、２８０ｇ／ｍ２以下が好ましく、１８０ｇ／ｍ２以下がより好ましい。
【００３３】
また、パンツの表地の厚みは、目付と同様の観点から、好ましくは０．２５ｍｍ以上、より好ましくは０．２８ｍｍ以上であり、好ましくは０．５０ｍｍ以下、より好ましくは０．３８ｍｍ以下である。
【００３４】
なお、ここで示した目付、厚みは、２０℃×６５％ＲＨの環境に保たれた恒温室にて布帛を一昼夜保管した後、同じく恒温室内で得た値である。目付（ｇ／ｍ2）は、精密電子天秤、厚みは、織物については、ＪＩＳ  Ｌ  １０９６規格に準拠した厚み計（ピーコック  定圧厚み計  ＦＦＡ１０、荷重２３．５ｋＰａ）、編物については、ＪＩＳ  Ｌ  １０１８規格に準拠した厚み計（ピーコック  定圧厚み計  ＦＦＧ１１、荷重０．７ｋＰａ）により測定した値である。
【００３５】
また、パンツの表地において、運動機能性の観点より、ＫＥＳ−ＦＢ１引張特性試験において得られるストレッチ率（ＥＭＴ）が、経方向に１％以上であることが好ましく、また、緯方向に３％以上であることが好ましく、５％以上であることがより好ましい。また、前記ストレッチ率（ＥＭＴ）は、繰り返し着用における生地のヘタリ軽減及びパンツの膝抜け抑制の観点からは、経方向に２５％以下であることが好ましく、１０％以下であることがより好ましく、また、緯方向に３０％以下であることが好ましく、１５％以下であることがより好ましい。
【００３６】
なお、ここで示したストレッチ率（ＥＭＴ）は、カトーテックＫＥＳ−ＦＢ１引張特性試験器標準測定条件、最大荷重  ５００ｇｆ／ｃｍ、測定速度  ０．２ｍｍ／ｓｅｃで得た値である。
【００３７】
本実施の形態はまた、本実施の形態のパンツのパターンをマスターパンツパターンとしてグレーディングする工程を含む、パンツの製造方法を提供する。グレーディングは、従来公知の手法に従って行うことができ、例えば、市販のグレーディングソフトを用いてマスターパンツパターンを拡大又は縮小し、更に所望される箇所にサイズ調整を施すことで行ってよい。
【実施例】
【００３８】
以下、実施例を用いて本発明を更に説明するが、本発明はこれら実施例に何ら限定されない。【００３９】
［表地Ａの作製］
経糸２／７２、緯糸２／７２のウールトップ染めによる紡績糸を用い、定法のウール織物の仕上げ工程を経て、製品密度が経８６本／２．５４ｃｍ、緯６７本／２．５４ｃｍの綾織表地Ａを得た。表地Ａの目付は１７０ｇ／ｍ２、厚みは０．２９ｍｍ、ストレッチ率は経方向に３．６％、緯方向に１０．６％であった。【００４０】
［表地Ｂの作製］
経糸２／７２、緯糸１／４０のウールトップ染めによる紡績糸を用い、定法のウール織物の仕上げ工程を経て、製品密度が経７９本／２．５４ｃｍ、緯７２本／２．５４ｃｍの綾織表地Ｂを得た。表地Ｂの目付は１６０ｇ／ｍ２、厚みは０．３２ｍｍ、ストレッチ率は経方向に３．３％、緯方向に９．９％であった。【００４１】
［表地Ｃの作製］
１／３６のウールトップ染めによる紡績糸を鞘糸とし、２２ｄｔｅｘのポリウレタン弾性繊維を芯糸としたコアスパンヤーンを経糸及び緯糸に用い、ウール織物の仕上げ工程を経て、製品密度が経６０本／２．５４ｃｍ、緯５２本／２．５４ｃｍのストレッチ平織表地Ｃを得た。表地Ｃの目付は、２７０ｇ／ｍ２、厚みは０．４９ｍｍ、ストレッチ率はタテ方向に２０％、緯方向に３０％であった。【００４２】
［表地Ｄの作製］
経糸には綿番手２０番、緯糸には綿番手１０番手を用い、定法の綿織物の仕上げ工程を経て、製品密度が経８８本／２．５４ｃｍ、緯６４本／２．５４ｃｍの綾織表地Ｄを得た。表地Ｄの目付は、２４８ｇ／ｍ２、厚みは０．４６ｍｍ、ストレッチ率はタテ方向に３％、緯方向に３％であった。【００４３】
［表地Ｅの作製］
フロント、ミドル１、ミドル２、バックの４枚の筬を有するトリコット編機において、ポリエステル８８ｄｔｅｘ／３６ｆの仮撚糸を、フロントとバックの筬にフルセットで通糸し、１０６ｄｔｅｘのポリエステルの制電糸と１１１ｄｔｅｘ／４８ｆの仮撚糸とを１：８の本数割合でミドル１の筬に１ｉｎ１ｏｕｔで通糸し、キュプラ８４ｄｔｅｘ／５４ｆとポリエステル３３ｄｔｅｘ／２４ｆインターレース仮撚加工糸をミドル２の筬に１ｉｎ１ｏｕｔで通糸し、ミドル１、ミドル２の二つ筬が、互いにその通糸箇所を補完するように配置して、２８ゲージで編成したトリコット生機を得た。定法の仕上げ工程を経て、製品密度がコース数５６個／２．５４ｃｍ、ウェール数３６個／２．５４ｃｍのトリコット編地による表地Ｅを得た。目付は、２２０ｇ／ｍ２、厚みは０．６８ｍｍ、ストレッチ率はタテ方向に２１％、緯方向に１８％であった。【００４４】
［性能評価］
身長１５８ｃｍ〜１６３ｃｍ、体重４５ｋｇ〜５３ｋｇの成人女性１０名を用い、着用試験を行った。測定環境は、温度２５℃±１度、相対湿度６０％±５％とした。【００４５】
（１）パンツの運動機能性
静立位から、（ａ）片脚を２５ｃｍのステップ台に乗せる、（ｂ）座面高４０ｃｍの椅子に座る、（ｃ）しゃがむ、の三種の動作をさせたときの運動機能性をパンツ毎に申告させた。評価は５段階とし、１０人の被験者の数平均値を算出した。４以上を良好とした。
１  動きにくい
２  やや動きにくい
３  どちらでもない
４  動きやすい
５  大変動きやすい【００４６】
（２）パンツのシルエット評価
パンツ１〜１９、２１〜２９については、身長１５８ｃｍ、体重４９ｋｇ、胴囲６５ｃｍ、腰囲８８ｃｍ、の被験者に、またパンツ２０については、身長１６３ｃｍ、体重５３ｋｇ、胴囲６８．５ｃｍ、腰囲９１．５ｃｍ、の被験者に着用させ、静立位で（ａ）前、（ｂ）右横、（ｃ）左横、（ｄ）後の４方向から、パンツのシルエット評価を実施した。シルエット評価は、被服構成の専門家１０人により、実施した。評価は５段階とし、１０人の専門家の数平均値を算出した。４以上を良好とした。
１  余りしわ、ひきつれしわ、たるみしわが多く、シルエットが大変悪い
２  余りしわ、ひきつれしわ、たるみしわがやや多い、シルエットが悪い
３  余りしわ、ひきつれしわ、たるみしわは少なからずあるが、シルエットが悪いとはいえない
４  余りしわ、ひきつれしわ、たるみしわはあまりなく、シルエットは良好
５  余りしわ、ひきつれしわ、たるみしわは殆どなく、シルエットは大変良好【００４７】
下記に示す、実施例、比較例全てのパンツは、縫い代０．８ｃｍに設定した。【００４８】
［実施例１］
表地Ａを用い、θ＝２０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ１を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００４９】
［実施例２］
表地Ａを用い、θ＝３０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ２を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５０】
［実施例３］
表地Ｂを用い、θ＝１６°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ３を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５１】
［実施例４］
表地Ｂを用い、θ＝３４°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ４を縫製した。図２に、パンツ４における角度θを示している。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５２】
［実施例５］
表地Ｂを用い、θ＝３０°、ＹＦ＋ＹＢ＝５８、（ＹＦ−ＸＦ）／（ＹＢ−ＸＢ）＝０．６１３、ＸＦ＝ＸＢ＝４、ＹＦ−ＸＦ＝１９、ＹＢ−ＸＢ＝３１となるパンツ５を縫製した。このパンツの寸法は、股上丈１８ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５３】
［実施例６］
表地Ｂを用い、θ＝３０°、ＹＦ＋ＹＢ＝５６、（ＹＦ−ＸＦ）／（ＹＢ−ＸＢ）＝０．６００、ＸＦ＝ＸＢ＝４、ＹＦ−ＸＦ＝１８、ＹＢ−ＸＢ＝３０となるパンツ６を縫製した。このパンツの寸法は、股上丈１７ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５４】
［実施例７］
表地Ｂを用い、θ＝３０°、ＹＦ＋ＹＢ＝６２、（ＹＦ−ＸＦ）／（ＹＢ−ＸＢ）＝０．６３６、ＸＦ＝ＸＢ＝４、ＹＦ−ＸＦ＝２１、ＹＢ−ＸＢ＝３３となるパンツ７を縫製した。このパンツの寸法は、股上丈２０ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５５】
［実施例８］
表地Ｂを用い、θ＝３４°、ＹＦ＋ＹＢ＝６０、（ＹＦ−ＸＦ）／（ＹＢ−ＸＢ）＝０．６７７、ＸＦ＝ＸＢ＝４、ＹＦ−ＸＦ＝２１、ＹＢ−ＸＢ＝３１となるパンツ８を縫製した。このパンツの寸法は、股上丈２０ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５６】
［実施例９］ストレッチ表地Ｃ
表地Ｃを用い、θ＝１６°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ９を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５７】
［実施例１０］ノンストレッチ表地Ｄ
表地Ｄを用い、を用い、θ＝３０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ１０を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５８】
［比較例１］
表地Ａを用い、θ＝１０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ１１を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００５９】
［比較例２］
表地Ａを用い、θ＝４０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ１２を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６０】
［比較例３］
表地Ｂを用い、θ＝１０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ１３を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６１】
［比較例４］
表地Ｂを用い、θ＝４０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ１４を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６２】
［比較例５］
表地Ｂを用い、θ＝２０°、ＹＦ＋ＹＢ＝５２、式１で得た値が０．５７１、ＸＦ＝ＸＢ＝４、ＹＦ−ＸＦ＝１６、ＹＢ−ＸＢ＝２８となるパンツ１５を縫製した。このパンツの寸法は、股上丈１５ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６３】
［比較例６］
表地Ｂを用い、θ＝３０°、ＹＦ＋ＹＢ＝６６、（ＹＦ−ＸＦ）／（ＹＢ−ＸＢ）＝０．６５７、ＸＦ＝ＸＢ＝４、ＹＦ−ＸＦ＝２３、ＹＢ−ＸＢ＝３５となるパンツ１６を縫製した。このパンツの寸法は、股上丈２２ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６４】
［比較例７］
表地Ｂを用い、θ＝２０°、ＹＦ＋ＹＢ＝６０、（ＹＦ−ＸＦ）／（ＹＢ−ＸＢ）＝０．６２５、ＸＦ＝ＸＢ＝６、ＹＦ−ＸＦ＝２０、ＹＢ−ＸＢ＝３２となるパンツ１７を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６５】
［比較例８］
表地Ｂを用い、θ＝３０°、ＹＦ＋ＹＢ＝６０、（ＹＦ−ＸＦ）／（ＹＢ−ＸＢ）＝０．６２５、ＸＦ＝ＸＢ＝６、ＹＦ−ＸＦ＝２０、ＹＢ−ＸＢ＝３２となるパンツ１８を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６６】
［比較例９］
表地Ｂを用い、θ＝３０°、ＹＦ＋ＹＢ＝５２、（ＹＦ−ＸＦ）／（ＹＢ−ＸＢ）＝０．５７１、ＸＦ＝ＸＢ＝４、ＹＦ−ＸＦ＝１６、ＹＢ−ＸＢ＝２８となるパンツ１９を縫製した。このパンツの寸法は、股上丈１５ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６７】
［実施例１１］
実施例２で使用したパターンをマスターパターンとし、ＡＧＭＳ（株）製グレーディングソフトを用い、標準グレーディング条件（ウエスト変動３ｃｍ、股上０．５ｃｍ、股下０ｃｍ、膝巾１ｃｍ、裾巾１ｃｍ）にて１サイズアップしたパターンを得た。このパターンを用いて、表地Ｂを用い、θ＝３１．８°、ＹＦ＋ＹＢ＝６１．２、（ＹＦ−ＸＦ）／（ＹＢ−ＸＢ）＝０．６２１、ＸＦ＝ＸＢ＝４、ＹＦ−ＸＦ＝２０．４、ＹＢ−ＸＢ＝３２．８となるパンツ２０を縫製した。このパンツの寸法は、股上丈１９．５ｃｍ、前股上線長２４．９ｃｍ、後ろ股上線長３５．４ｃｍ、股下７０ｃｍ、前膝巾２０ｃｍ、前裾巾２０ｃｍ、後ろ膝巾２４ｃｍ、後ろ裾巾２４ｃｍであった。【００６８】
［実施例１２］
表地Ａを用い、θ＝３０°、ＹＦ＋ＹＢ＝６０、（ＹＦ−ＸＦ）／（ＹＢ−ＸＢ）＝０．６６７、ＸＦ＝ＸＢ＝０、ＹＦ−ＸＦ＝２４、ＹＢ−ＸＢ＝３６となるパンツ２１を縫製した。このパンツの寸法は、股上丈２３ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００６９】
［比較例１０］ストレッチ表地Ｃ
表地Ｃを用い、θ＝１０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ２２を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７０】
［比較例１１］ノンストレッチ表地Ｄ
表地Ｄを用い、θ＝１０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ２３を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７１】
［実施例１３］トリコット表地Ｅ
表地Ｅを用い、θ＝３０°、ＹＦ＋ＹＢ＝６０、（ＹＦ−ＸＦ）／（ＹＢ−ＸＢ）＝０．６２５、ＸＦ＝ＸＢ＝４、ＹＦ−ＸＦ＝２０、ＹＢ−ＸＢ＝３２となるパンツ２４を縫製した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７２】
［実施例１４］トリコット表地Ｅ
トリコット表地Ｅを用い、θ＝３３．２°、ＹＦ＋ＹＢ＝６３．４、（ＹＦ−ＸＦ）／（ＹＢ−ＸＢ）＝０．６２１、ＸＦ＝ＸＢ＝３、ＹＦ−ＸＦ＝２２、ＹＢ−ＸＢ＝３５．４となるパンツ２５を縫製した。
このパンツのウエストの一部には、前正中線から左右に胴囲周長の１５％ずつ、合計３０％を除く７０％に、ベルトに変えて、表地Ｅで幅３ｃｍのゴムを巻いた伸縮生地を連続的に配置した。このパンツの寸法は、股上丈２０ｃｍ、前股上線長２５ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７３】
［実施例１５］トリコット表地Ｅ
トリコット表地Ｅを用い、θ＝３３．２°、ＹＦ＋ＹＢ＝６３．４、（ＹＦ−ＸＦ）／（ＹＢ−ＸＢ）＝０．６２１、ＸＦ＝ＸＢ＝３、ＹＦ−ＸＦ＝２２、ＹＢ−ＸＢ＝３５．４となるパンツ２６を縫製した。
このパンツのウエストの一部には、前正中線から左右に胴囲周長の４０％ずつを除く２０％に、ベルトに代えて、表地Ｅで幅３ｃｍのゴムを巻いた伸縮生地を連続的に配置した。このパンツの寸法は、股上丈２０ｃｍ、前股上線長２５ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７４】
［実施例１６］トリコット表地Ｅ
トリコット表地Ｅを用い、θ＝３３．２°、ＹＦ＋ＹＢ＝６３．４、（ＹＦ−ＸＦ）／（ＹＢ−ＸＢ）＝０．６２１、ＸＦ＝ＸＢ＝３、ＹＦ−ＸＦ＝２２、ＹＢ−ＸＢ＝３５．４となるパンツ２７を縫製した。
このパンツのウエストは、前正中線から左右に胴囲周長の５％ずつを除く９０％に、ベルトに代えて、表地Ｅで幅３ｃｍのゴムを巻いた伸縮生地を連続的に配置した。このパンツの寸法は、股上丈２０ｃｍ、前股上線長２５ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７５】
［比較例１２］トリコット表地Ｅ
トリコット表地Ｅを用い、θ＝１０°、ＹＦ＋ＹＢ＝６０、（ＹＦ−ＸＦ）／（ＹＢ−ＸＢ）＝０．６３６、ＸＦ＝ＸＢ＝３、ＹＦ−ＸＦ＝２１、ＹＢ−ＸＢ＝３３となるパンツ２８を縫製した。このパンツのウエストは、ベルトに代えて、表地Ｅで幅３ｃｍのゴムを巻いた伸縮生地を連続的に配置した。このパンツの寸法は、股上丈１９ｃｍ、前股上線長２４ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７６】
［比較例１３］トリコット表地Ｅ
トリコット表地Ｅを用い、θ＝３３．２°、ＹＦ＋ＹＢ＝６７、（ＹＦ−ＸＦ）／（ＹＢ−ＸＢ）＝０．６９４、ＸＦ＝ＸＢ＝３、ＹＦ−ＸＦ＝２５、ＹＢ−ＸＢ＝３６となるパンツ２９を縫製した。
このパンツのウエストは、ベルトに代えて、表地Ｅで幅３ｃｍのゴムを巻いた伸縮生地を連続的に配置した。このパンツの寸法は、股上丈２３ｃｍ、前股上線長２５ｃｍ、後ろ股上線長３５ｃｍ、股下７０ｃｍ、前膝巾１９ｃｍ、前裾巾１９ｃｍ、後ろ膝巾２３ｃｍ、後ろ裾巾２３ｃｍであった。【００７７】
［実施例１７］トリコット表地Ｅ
トリコット表地Ｅを用い、θ＝３３．２°、ＹＦ＋ＹＢ＝６３．４、（ＹＦ−ＸＦ）／（ＹＢ−ＸＢ）＝０．６２１、ＸＦ＝ＸＢ＝３、ＹＦ−ＸＦ＝２２、ＹＢ−ＸＢ＝３５．４となる脇ポケット付きパンツ３０を縫製した。
このパンツのウエストは、前正中線から左右に胴囲周長の１２．５％ずつを除く７５％に、ベルトに代えて、表地Ｅで幅３ｃｍのゴムを巻いた伸縮生地を連続的に配置した。ポケット布は、脇布と袋布を連続した表地Ｅとして、生地を中表に縫い合わせて構成した。ポケット口の上側の縫い合わせ位置はウエスト部の前正中線から左右に胴周囲長の１２．５％の位置、下側の縫い合わせ位置は脇線の上端から１３．５ｃｍ下の位置とし、ポケット口の幅は１５ｃｍとした。このパンツの寸法は、股上丈２０ｃｍ、前股上線長２５ｃｍ、後ろ股上線長３４ｃｍ、股下７０ｃｍ、前膝巾１９ｃｍ、前裾巾１９ｃｍ、後ろ膝巾２３ｃｍ、後ろ裾巾２３ｃｍであった。【００７８】
各実施例及び比較例に係るパンツの構成及びその評価結果を表１に纏める。【００７９】
【表１】
2019194016.tif 000003
【産業上の利用可能性】
【００８０】
本開示のパンツは、スポーツ用、作業用、カジュアル用、制服用、ビジネススーツ用、フォーマル用等の多様な用途に用いることができ、特に標準体型の成人女性の既製服として好適である。
【符号の説明】
【００８１】
１    前身頃パターン
２    後身頃パターン
１１，１２，１３，１４    身頃上端
２１，２２，２３，２４    ベルト部下端
３２，３４    股ぐり線下端
４４    ヒップトップ部
ａ    股上線
ｂ    ヒップライン
ｃ    縫合線
ｄ，ｅ    経地の目線
ＸＦ    前ベルト巾
ＸＢ    後ベルト巾
ＹＦ    前股ぐり線の長さ
ＹＢ    後股ぐり線の長さ
【図１】
2019194016.tif 000004
【図２】
2019194016.tif 000005
【国際調査報告】
2019194016.tif 000006
2019194016.tif 000007
2019194016.tif 000008
2019194016.tif 000009